(57)【特許請求の範囲】
【請求項１】
外部装置と接続され、該外部装置との間でデータの受け渡しを行うデータ通信手段と、
該データ通信手段と接続され、前記外部装置との間で受け渡されるデータを記憶する送受データ記憶手段と、
処理すべき単位動作の内容を特定する参照情報を含む複数の処理指示語を記憶可能とする事象データ記憶手段と、
該事象データ記憶手段に備えた処理指示語を解読し、各処理指示語で参照される情報に対応した表示を画面上で行う表示制御手段とを備え、
前記処理指示語が、前記外部装置から前記送受データ記憶手段上に取り込んだデータの変化に対応して、ディスプレイの画面上に表示されたる内容を変更可能とするプログラム式表示装置において、
前記データ通信手段を並列して複数備えるとともに、
各データ通信手段には、
前記外部装置との着脱自在な接続を可能とする接続部と、
該接続部と接続され、入力されるデータを予め設定した汎用的な手順にしたがって処理することにより、該接続部を介して外部装置とデータの受け渡しを可能とする一方、接続部を介して入力された信号から有意のデータ部分を一連に抽出可能とするデータ通信部と、
該データ通信部と接続され、入出力されるデータを前記外部装置に固有の手順にしたがって処理することにより、外部装置側で理解可能なデータ列をデータ通信部に送る一方、該データ通信部から出力される有意のデータ列から必要部分を取り出し、送受データ記憶手段上に保存可能とするデータ処理動作を所定のプログラム言語を用いて行うデータ処理部とを備え、
前記接続部とデータ通信部とを一体として、汎用的な複数種類のものから選択可能とする一方、データ通信部とデータ処理部との間のインターフェース仕様をデータ通信部の種類に拘らず略同一に構成し、更に、
前記データ処理部に備える前記外部装置に固有の手順を、
前記データ通信部から出力されるデータを前記送受データ記憶手段に書き込む受信命令と、送受データ記憶手段に格納されているデータをデータ通信部に向けて出力する送信命令との組み合せから構成し、その組み合せを任意にプログラム可能とするとともに、
該作成された固有の手順を、接続される外部装置に対応させて置き換え可能としたプログラム式表示装置。
【発明の詳細な説明】
【０００１】
【発明の属する技術分野】
この発明は、ＰＬＣの様な外部装置が接続され、その外部装置から送られるデータに対応した表示をディスプレイ上で行うプログラム式の表示装置にあって、外部装置との間におけるデータの入出力制御方法に関する。
【０００２】
【従来の技術】
従来この種プログラム式表示装置にあっては、接続可能とされる外部装置の種類が限定され、表示装置の提供メーカが指定した以外の外部装置を接続してデータ入力させることは、ユーザー側にとって極めて難しいものであった。これは、外部装置の種類あるいは製造メーカ毎に、データのフォーマットや受け渡し手順を規定したプロトコルが異なることに起因する。
【０００３】
【発明が解決しようとする課題】
そこで表示装置の提供メーカ側にあっては、ＰＬＣの様に必ず接続されるものに対してはできるだけ多くの製品について接続を保証する努力をしているが、今後ますます増加する全ての外部装置について対応することは不可能に近い。
【０００４】
本発明はかかる不都合に対応したものであって、接続される外部装置におけるプロトコル情報をユーザー側が作成して置き換え可能とすることにより、任意の外部装置を容易に接続可能とするプログラム式表示装置用のデータ入出力制御方法を提供することを目的とする。
【０００５】
【課題を解決するための手段】
本発明にかかるデータ入出力制御方法を実施するプログラム式表示装置３は、図１にその全体的な構成を概略的に示す如く、外部装置１とデータ通信手段２を介して接続され、前記外部装置１のメモリ上に格納された状態データに対応した表示をディスプレイ１４の画面１５上で可能とするものである。
【０００６】
更に前記データ通信手段２に、図２で示す如く、外部装置１との着脱自在な接続を可能とする接続部２７と、データ通信部２８と、データ処理部２９とを備えている。ここでデータ通信部２８は、入力されるデータを予め設定した汎用的な手順３０にしたがって処理することにより、前記接続部２７を介して外部装置１とデータの受け渡しを可能とする一方、接続部２７を介して入力された信号から有意のデータ部分を一連に抽出可能とする。
【０００７】
またデータ処理部２９は、入出力されるデータを前記外部装置１に固有の手順３１にしたがって処理することにより、前記外部装置１側で理解可能なデータ列をデータ通信部２８に送る一方、該データ通信部２８から出力される有意のデータ列から必要部分を取り出し、送受データの記憶手段４上に保存可能とする。
【０００８】
更に前記外部装置１に固有の手順３１を、データ通信部２８から出力されるデータを送受データ記憶手段４に書き込む受信命令と、送受データ記憶手段４に格納されているデータをデータ通信部２８に向けて出力する送信命令との組み合せから構成し、その組み合せを任意にプログラム可能とするとともに、その作成された固有の手順３１を、接続される外部装置１に対応させて置き換え可能としたことを特徴とする。
【０００９】
前記した外部装置１に固有の手順３１は、前記送信命令で送出される送受データ記憶手段４上のデータを、外部装置１に固有のフォーマットに従って格納して構成することができる。
【００１０】
更に前記したデータ通信部２８はシリアルデータの入出力用であり、汎用的な手順３０は調歩同期式通信方式に対応したものであって、その汎用的な手順３０中における通信パラメータを設定変更可能としている。
【００１１】
前記プログラム式表示装置３は、図１０に例示する如く、処理すべき単位動作の内容を特定する参照情報ｒを含む複数の処理指示語Ｗを記憶可能とする事象データ記憶手段５と、その事象データ記憶手段５に備えた処理指示語Ｗを解読し、各処理指示語Ｗで参照される情報に対応した表示を画面１５上で行う表示制御手段６とを備える。そして、処理指示語Ｗが、前記外部装置１から送受データ記憶手段４上に取り込んだデータの変化に対応して、画面１５上に表示される内容を変更可能とする。
【００１２】
【発明の効果】
本発明は上記の如く、接続される外部装置に対応したプロトコル情報をユーザー側が任意に作成して置き換え可能とすることにより、プログラム式表示装置に対して各種の外部装置を容易に接続可能とする。
【００１３】
【発明の実施の形態】
以下本発明を、図３で示す如く、ターゲットシステム１０を制御するＰＬＣ１１の操作盤として使用するプログラム式表示装置３に実施した一例に基づいて具体的に説明するが、各種装置の表示専用あるいはそれ単独で動作する表示装置など、その構成が限定されるものではない。
【００１４】
ターゲットシステム１０を制御するＰＬＣ１１は、ＣＰＵユニットやメモリユニットなどの必要とする個別の機能毎に回路がユニット化され、各ユニットを必要に応じて適宜追加可能に接続することにより、ＰＬＣ１１の全体として達成される機能を増減可能とする従来と略同様な構成のものである。
【００１５】
プログラム式表示装置３は、ＰＬＣ１１とともにターゲットシステム１０の操作卓などに一体に組み込み、あるいはそれ自身が独立して配備され、ターゲットシステム１０に対する操作および表示盤として使用されるものであって、後述する処理指示語Ｗを用いて各種のデータ処理動作を行わせる。
【００１６】
そして図示しない筐体の内部には表示制御回路１３を収納する一方、ディスプレイ１４における画面の略全面を透明なタッチパネル１６により密着状態で覆っている。このタッチパネル１６に対する指示動作は、タッチパネルコントローラ１７を介して取り込まれてその指示座標が解析され、テスト時、システム全体としての運転開始前における初期設定時あるいは運転中における指先による各種手動操作を可能とする。
【００１７】
表示制御回路１３の基本的な構成は、一般的なパソコン装置と略同一であって、バスラインを介してＣＰＵ１８、ＲＯＭ１９、ＲＡＭ２０をはじめとする各種メモリ２１、あるいはグラフィックコントローラ２２が接続され、メモリ２１内に格納されたシステムプログラムに従ってＣＰＵ１８が所定のデータ処理動作を行う一方、ＲＡＭ２０に適宜格納される各種の演算結果に対応した表示が、グラフィックコントローラ２２によりディスプレイ１４の画面上で行われる。
【００１８】
更に、データ通信手段２として備えた通信コントローラ２３および通信路２４を介し、ＰＬＣ１１側との間で表示あるいは制御に必要なデータの受け渡しを可能とすることにより、ＰＬＣ１１とプログラム式表示装置３とが最小限の時間遅れをもって、略同一内容のデータを互いに保持できる様にしている。
【００１９】
本発明は上記構成にあって更に、通信コントローラ２３を第１〜第３の３組備えて、３つのデータ通信ポート構成している。なお本実施例では、第１通信コントローラ２３ａにはＰＬＣ１１が、第２通信コントローラ２３ｂには温度調節器２５が、第３通信コントローラ２３ｃにはコードリーダ２６を各々外部装置として接続された例を示しているが、データ通信ポートの数を増減し、あるいは接続される外部装置１の種類を任意に変更できることは勿論である。
【００２０】
通信コントローラ２３の基本的な構成は、図２に例示する如く略同一の構成であって、外部装置１が有線、無線あるいは赤外線等の通信路２４を介して着脱自在に接続されて、外部装置１側から送られる信号を所定レベルの電気信号に変換する接続部２７と、その接続部２７を介して送られる電気信号から有意のデータを抽出するデータ通信部２８と、取り出された有意のデータ中から外部装置１に対応したプロトコルで必要なデータをメモリ２１上に読み書きするデータ処理部２９とから構成される。
【００２１】
ここで、上記した接続部２７とデータ通信部２８はハードウェア的に構成されるものであって、接続される外部装置１に対応させて１組ずつ配設され、更に、外部装置１との間におけるデータの受け渡しに利用される汎用的な手順３０を適用したデータ伝送規格に対応して設計される。
【００２２】
例えば、パソコン装置におけるシリアルデータ通信を例に取ると、ＲＳ−２３２ＣやＲＳ−４２２規格が一般的に適用されるとともに、Ｄｓｕｂ規格の接続端子が使用され、更にデータ通信部２８では、汎用的なデータの受け渡し手順である調歩同期式の通信方式でデータの受け渡しが行われる。その他の規格にあっても、外部装置１の種類に拘らず同一の規格が設定されて汎用的に適用できるものであり、通常は接続部２７とデータ通信部２８とを１枚のボード上に一体に構成し、必要に応じてそのボードを差し替えることにより対応される。
【００２３】
一方、外部装置１から送られるデータの並び具合を規定するデータフォーマットおよびデータの受け渡し手順からなるプロトコルは、使用される外部装置１毎に個別に定義されることが一般的である。そこで本実施例にあっては、図２（ａ）の様にデータ処理部２９をプログラムで構成するとともに、各データ通信部２８に対して共通に備え、外部装置１とのデータ通信用のプログラムを容易に設計できるようにしている。
【００２４】
すなわち、データ通信部２８に対する入出力インターフェイスを、その入出力に利用される規格がシリアルかパラレルあるいは非同期式か同期式かにかかわらず略同一に設定する。たとえば、データ通信部２８の動作を既定するパラメータの設定データの規格、データ通信部２８に備える送受信用のバッファとのデータの受け渡し方法、あるいはデータ通信部２８の動作状態を知らせる規格等である。したがって、各データ通信部２８における構造および動作は互いに異なる場合にあっても、その違いはハードウェアおよびその上で走るプログラムで吸収され、データ処理部２９とデータ通信部２８との間におけるデータ受け渡しは、同一または類似の手順で行われる様にしている。
【００２５】
一方データ処理部２９は、Ｃ言語の様な汎用的なプログラム言語で作成され、Ｃ言語と類似の制御命令を有するスクリプト言語により、上記したデータ通信部２８と所定のＯＳ上で連動して動作するものであって、その言語中に、データ通信部２８を介して外部装置１との間でデータの受け渡しをするために必要な命令ないしは関数群を備えるとともに、その命令群中でデータを受け渡すべき通信ポートを特定できる様に構成することにより、接続される外部装置１に固有な手順３１が適用される様にしている。
【００２６】
この命令群には少なくとも、各データ通信部２８に備えた受信バッファに蓄えられたデータをメモリ２１上の所定アドレス位置に順次に格納するデータの受信命令と、メモリ２１上に予め格納された送信データをデータ通信部２８に向けて送出する送信命令と、データ通信部２８中の送受信バッファやエラーステータスをクリアあるいは所定値にセットするコントロール命令、データ通信部２８における送受信状態を取得するためのステータス命令が含まれる。しかしながらこれらに限定されるものではなく、その他の各種データ処理動作を行う命令ないしは関数、あるいは制御命令を備えることができることは勿論である。またプログラム作成用の言語仕様も、必要なデータ処理動作を定義できるものであれば任意に設計できる。
【００２７】
図４〜７は、前記した命令を使用した、例えば第２通信コントローラ２３ｂに接続される温度調節器２５に使用される一般的なデータの受け渡し例を示す。かかる例にあっては、図４（ａ）にそのデータ受け渡しタイミングを図示する如く、外部装置１に対してデータの読出しを要求する命令を送信処理すると、それに対応した内容のデータが外部装置１から返送され、それを受信処理する動作を１組とし、外部装置１内における所定アドレスのデータを定期的に取得するものであって、データ処理部２９の動作を開始すると、図４（ｂ）のステップＳＴ１で所定の初期化を行ったあと、ステップＳＴ２で所定時間が経過したか否かが判定され、設定時間毎にステップＳＴ３の送受信処理動作が実行される。
【００２８】
ここでステップＳＴ１の初期化は、専ら上記したコントロール命令を利用して、装置の駆動時に１回だけ実施される。具体的には、データの受信済み状態を示すフラグ３２のセット、データの送信済み状態を示すフラグ３３のクリア、データ通信部２８中の送受信バッファのクリア、あるいは送信許可フラグのセットであって、かかる初期化によりデータの送受信が可能な状態となる。
【００２９】
次に図４（ｂ）のステップＳＴ３に示す送受信処理工程は、図５のステップＳＴ３１で送信が許可されているか否かが判定され、「ＹＥＳ」であればステップＳＴ３２に移って、受信済みフラグ３２がクリアされて受信が終わっているか否かが判定される。ここで受信が終了していないことが判定されると、前回における送信に対する受信処理が完了していないものと判断し、後記する受信処理が行われる。ステップＳＴ３２で受信が完了していることが判定されると、ステップＳＴ４の送信処理工程に入る。
【００３０】
送信処理工程にあっては、図６のステップＳＴ４１で送信バッファが空きであることを確認したあと、ステップＳＴ４２でメモリ２１上の所定エリアに送信データをセットし、ステップＳＴ４３でデータを受け渡すべき外部装置１が接続されたデータ通信部２８に向けて必要なデータの送出するとともに、ステップＳＴ４４で送信済みフラグ３３をセットする。ここで送信データは、接続される外部装置１が既定するデータフォーマットに対応してそのデータ内容および配列が予め設定されており、従ってメモリ２１上の送信データを上位アドレスから順番に送出することによって、外部装置１に固有のデータフォーマットでデータが送出される。
【００３１】
図５のステップＳＴ４で送信処理が終了したあと、ステップＳＴ３３で送信済みフラグ３３がセットされていることが確認されると、ステップＳＴ３４で受信済みフラグ３２をクリアして受信に備える。更にステップＳＴ３５で送信の終了を確認すると、ステップＳＴ５の受信処理に入る。
【００３２】
受信処理は図７に示す如く、ステップＳＴ５１で受信データがバッファ上に存在することが、ステップＳＴ５２で必要数の受信データが揃っていることを確認するとともに、ステップＳＴ５３で通信エラーのチェックを行う。このチェックで正常に受信されたことが判定されると、ステップＳＴ５４においてデータ通信部２８のバッファからデータを受け取り、ステップＳＴ５５で受信済みフラグ３２をセットしたあと、ステップＳＴ５６で受信データをメモリ２１上の所定アドレスから始まる受信エリアに保存することにより、データの受信工程は終了するので図５のステップＳＴ３６に戻る。そして、ステップＳＴ３６で受信が完了したことを確認し、更にステップＳＴ３７で送信済みフラグ３３をクリアして次回のデータ送受信に備えることにより、１回分のデータ送受信処理工程は終了するのである。
【００３３】
以上のとおり、通常の外部装置１にあっては、プログラム式表示装置３側との間でデータの送信および受信が複雑に組み合わされる結果、外部装置１毎に個別にその手順を操作者が作成し、必要に応じて組み込む必要性は高い。
【００３４】
一方、外部装置１としてコードリーダの様なデータの入力手段を使用した場合にあっては、主として外部装置１側から一方的にデータを送出するのみであるから、その手順も単純で汎用的なものに近い。そこで本発明にあっては、図２（ｂ）の様に、予め複数の代表的なデータ入力専用の外部装置１については、その固有の手順３１を記載したデータを複数用意しておき、リスト形式等で、接続される外部装置１に対応して内蔵される手順から必要なものを選択することが可能である。
【００３５】
そこで本実施例にあっては、第３通信コントローラ２３ｃに接続される外部装置１としてハンディタイプの二次元コードリーダ２６を接続するとともに、選択動作のみで、接続されているコードリーダ２６に対応した固有の手順３１ａ・３１ｂ・３１ｃのいずれかが設定できるようにしている。
【００３６】
ここでコードリーダ２６は、図８にその動作タイミングを示す如く、スイッチを押すなどして二次元コードデータの読取動作が完了するのと連動して、コードリーダ２６側から第３通信コントローラ２３ｃに向け、所定のデータフォーマットによりデータの送出動作がおこなわれ、データ通信部２８により有意なデータ部分が取り出される。さらに、予め選択した専用のデータフォーマットに対応する固有の手順３１に関するデータを利用し、送られた一連のデータ中からヘッダやターミネータの様なコードデータの部分を取り除き、コードスキャナにより読み取られたコードデータ部分のみを選択的に抽出して、メモリ２１の受信データ保存領域に格納する。
【００３７】
この受信データは、不要なコード部分が取り除かれるとともに、以下で示す処理指示語Ｗを使用したデータ処理時に対応したデータ形式で保存されているため、それ以上のデータ処理動作を必要とすることなく、そのまま表示等のデータ処理が行われる。
【００３８】
以上の様にして、上記した外部装置に固有な手順３１中でその格納アドレスが指定され、あるいはメモリ２１上に予め設定した受信データ保存領域上に取り込まれる受信データは、上記したデータ送受動作に使用したスプリクト言語あるいはその他のアプリケーションプログラムによって任意に使用できる。しかしながら本実施例にあっては、以下において説明する処理指示語Ｗを用いた表示制御動作により、受信データの変化に対応した表示がディスプレイ１４の画面１５上で行われる。
【００３９】
ここでプログラム式表示装置３においては、図９（ａ）に例示する銘板の様な表示内容に変更を要しない静止図形３４、あるいは形状変化や点滅あるいは色変化させるスイッチ図形のような部品図形３５をベース画面上に１または複数備えて構成された表示画面３６を単位画面とする。更に、１台のプログラム式表示装置３内には複数の単位画面３６をそのデータ処理用として備えるとともに、各々の単位画面毎に異なったファイル番号Ｆを指定することにより、単位画面を切り換えるだけで必要な操作内容を表示した表示画面３６が得られるようにしている。
【００４０】
更に１つの単位画面が選択されると、図１１に例示する如く、事象データ用メモリ３７上に予め格納され且つ選択された単位画面に関係する図１０に例示する処理指示語Ｗを微小時間毎に間欠的に読み出し、各処理指示語Ｗの事象名Ｎで特定される内容の動作を外部装置１側から取り出されたデータあるいはその他のデータを参照しながら順次に実行することにより、メモリ２１上のビットデータあるいはワードデータの内容変化に即応して表示内容が変化するデータ処理動作が、ディスプレイ１４の画面１５上で行われる。
【００４１】
すなわち処理指示語Ｗの基本的な構成は略同一であって、図１０（ａ）の如く、表示制御動作を実行すべきベース画面のファイル番号Ｆと、そのベース画面上で実行すべき動作内容を特定する事象名Ｎと、各処理指示語毎に参照される１又は複数のデータからなる参照情報ｒとを１組として備えている。
【００４２】
例えば、図１０（ｂ）に示す処理指示語ＷＴは、タッチパネルに対する押圧操作と連動して、メモリ２１上における受信データ格納領域内の所定アドレス位置に設定したビットデータＡ１を反転可能とするものである。すなわち、単位画面のファイル番号Ｆ１、タッチパネル１６の操作を特定する例えば「Ｔ」から始まる事象名Ｎ１、タッチパネル１６からの入力操作を有効とする入力座標範囲Ｘ・Ｙ、タッチパネル１６の押し操作と連動してデータを書き換えるべきアドレスＡ１とから構成される。
【００４３】
更に図１０（ｃ）に示す処理指示語ＷＳは、所定の座標位置に、メモリ２１上に格納したデータを文字列として表示するものであって、ベース画面のファイル番号Ｆ１、文字列の表示を特定する例えば「Ｓ」から始まる事象名Ｎ２、文字列の表示座標範囲Ｘ・Ｙ、表示すべき文字列の格納アドレスＡ２とから構成される。
【００４４】
以上の様な構成の処理指示語Ｗを利用し、本実施例では、第２通信コントローラ２３ｂに接続された温度調節器２５による制御温度をはじめ、制御される上限温度や下限温度等の各種パラメータを表示画面３６上に表示可能とする一方、変更可能なパラメータについては、表示画面３６上に重畳して表示される図９（ｂ）に示すキーボード図形３８を利用して手動で入力可能とする。それと同時にそのパラメータを、第３通信コントローラ２３ｃに接続されたコードリーダ２６から読み込まれたコードデータを利用し、半自動状態で設定できる様にしている。
【００４５】
すなわち、図１１の様に、表示画面３６上に表示すべき第１〜第３のパラメータに対し、座標範囲Ｘ・Ｙと文字列の格納アドレスＡ２とを特定した３つの処理指示語ＷＳ１・ＷＳ２・ＷＳ３を事象データ用メモリ３７に予め設定しておく。更に図１２の如く、図１０（ｄ）に示すライブラリ画面表示用の処理指示語ＷＬを事象データ用メモリ３７上に備えるとともに、図９（ｂ）に示すテンキー形状のライブラリ画面３８をグラフィックデータ用メモリ３９上に備えている。
【００４６】
処理指示語ＷＬは、メモリ２１に設定したビットデータＡ１のセット時に対応して、グラフィック用メモリ３９から所定のライブラリ画面を呼び出し、現在の表示画面３６に重畳してそのライブラリ画面を表示可能とするものであって、ベース画面のファイル番号Ｆ１、ライブラリ画面の表示を特定する例えば「Ｌ」から始まる事象名Ｎ３、呼び出すべきライブラリ画面のファイル番号Ｆ２、ライブラリ画面を表示させるタイミングを指示するビットデータのアドレスＡ１とから構成される。
【００４７】
ここでライブラリ画面として使用するキーボード図形３８は、上部に入力データの表示部４０を備える一方、上記したタッチパネル指示入力用の処理指示語ＷＴや文字列表示用の処理指示語ＷＳをはじめとした各種の処理指示語を使用して、１０進あるいは１６進数のキーボード４１を構成することにより、各キーの押圧に対応してその数値が表示部４０に表示される様に構成している。
【００４８】
本実施例におけるキーボード図形３８にあっては更に、キーボード４１から手動で表示部４０にデータを入力できるのに加えて、コードリーダ２６を使用してメモリ２１上に読み込まれたコードデータが自動的に表示部４０に表示され、そのデータを設定値として利用できる様に構成している。
【００４９】
すなわち、図１１の様に処理指示語ＷＳ１〜ＷＳ３を解読することにより、表示画面３６上に温度調節器２５からメモリ２１上に読み込まれた第１〜第３パラメータが表示される。
【００５０】
ここで、表示されたパラメータの設定変更を希望する場合、図１２に示す如く、タッチパネル動作を規制する処理指示語ＷＴ１と連動させ、キーボード図形３８を表示する処理指示語ＷＬ１を設定しておくことにより、上記したパラメータの表示画面３６と重畳されてキーボード図形３８が表示される。
【００５１】
このとき、手動によるデータ入力ではなく、コードリーダ２６を利用したデータの半自動入力を希望する場合は、コードリーダ２６を作動させると読み込まれたコードデータはメモリ２１上に格納され、更に格納されたコードデータはキーボード図形３８上の表示部４０に表示される。このコードデータをそのまま利用する場合は、確定キーを押すことによってメモリ２１上における対応するパラメータが更新されるのである。
【図面の簡単な説明】
【図１】本発明の全体的な構成を示す概略図である。
【図２】データ通信手段の具体的な構成を示す説明図である。
【図３】プログラム式表示装置の電気的な構成を概略的に示すブロック図である。
【図４】外部装置との間におけるデータの送受手順を示す図であって、（ａ）はデータ送受処理時のタイミングを示す波形図、（ｂ）は全体的な動作内容を示す流れ図である。
【図５】送受処理手順の一例を示す流れ図である。
【図６】送信処理手順の一例を示す流れ図である。
【図７】受信処理手順の一例を示す流れ図である。
【図８】コードリーダによるデータの読み込みタイミングを示す波形図である。
【図９】表示画面の一例を示す説明図である。
【図１０】処理指示語の構成を示す説明図である。
【図１１】処理指示語を使用した処理手順を示す説明図であって、温度調節器における各種パラメータの表示状態を示す。
【図１２】処理指示語を使用した処理手順を示す他の説明図であって、コードリーダを利用したデータ入力状態を示す。
【符号の説明】
１  外部装置
２  データ通信手段
３  プログラム式表示装置
４  送受データ記憶手段
５  事象データ記憶手段
６  表示制御手段
１０  ターゲットシステム
１１  ＰＬＣ
１３  表示制御回路
１４  ディスプレイ
１５  画面
１６  タッチパネル
１７  タッチパネルコントローラ
１８  ＣＰＵ
１９  ＲＯＭ
２０  ＲＡＭ
２１  メモリ
２２  グラフィックコントローラ
２３  通信コントローラ
２４  通信路
２５  温度調節器
２６  コードリーダ
２７  接続部
２８  データ通信部
２９  データ処理部
３０  汎用的な手順
３１  固有な手順
３２  受信済みフラグ
３３  送信済みフラグ
３４  静止図形
３５  部品図形
３６  表示画面
３７  事象データ用メモリ
３８  キーボード図形
３９  グラフィックデータ用メモリ
４０  データ表示部
４１  キーボード
【図１】
0003635018.tif 000002
【図２】
0003635018.tif 000003
【図３】
0003635018.tif 000004
【図４】
0003635018.tif 000005
【図５】
0003635018.tif 000006
【図６】
0003635018.tif 000007
【図７】
0003635018.tif 000008
【図８】
0003635018.tif 000009
【図９】
0003635018.tif 000010
【図１０】
0003635018.tif 000011
【図１１】
0003635018.tif 000012
【図１２】
0003635018.tif 000013